(57)【特許請求の範囲】
【請求項１】
冷蔵庫本体（１）の外面上に、先端にプラグ（４）を付けた電源コード（３）を引っ掛けるためのコードハンガー（５）が取り付けられた移動式冷蔵庫であって、
コードハンガー（５）が、一本の金属線材からなり、逆Ｕ字形状に曲げられて冷蔵庫本体（１）の外面上に固着された取付部（７）と、取付部（７）の左右脚（７ａ・７ａ）の両下端部を曲げて前方へ突出した左右の支持腕部（９・９）と、両支持腕部（９・９）の各突出端を円弧状に曲げて上向きに突設した環状の立上り部（１０・１０）とを有しており、
左右の支持腕部（９・９）間から立上り部（１０・１０）間にわたって、電源コード径よりも広く、かつプラグ（４）の電源コード径よりも広幅部分の幅寸法（Ｗ）よりも狭い間隙（Ｓ２・Ｓ１）が形成されており、
左右の支持腕部（９・９）上に対しプラグ（４）を懸垂状に掛け外し自在としてあることを特徴とする移動式冷蔵庫。
【請求項２】
２個以上の同じコードハンガー（５）が、冷蔵庫本体（１）の外面上に並べて固着されている請求項１記載の移動式冷蔵庫。  
【発明の詳細な説明】
【０００１】
【発明の属する技術分野】
本発明は、不使用時の電源コードの収納構造に特徴を有する移動式冷蔵庫に関する。
【０００２】
【従来の技術】
蓄冷剤により電源を切っても調理品などを保冷状態に維持できて、たとえば厨房と宴会場の間で移動できるようにしたキャスター付き冷蔵庫においては、移動時には電源プラグをコンセントから抜く必要がある。この場合、従来は冷蔵庫に内蔵のコードリールに電源コードをバネの力で巻き取る方式が採用されていた。
【０００３】
【発明が解決しようとする課題】
しかるに、バネの力で巻き取る上記コードリールでは、繰り返し使用に伴いバネの疲れ現象が生じるため、電源コードのプラグが付いている先端までを完全に巻き取れなくなることがあった。この場合、冷蔵庫の移動時に電源コードの先端が垂れてプラグを引きずり、冷蔵庫の底側のキャスターが電源コードやプラグを踏みつけて損傷、破損させるおそれがあった。
【０００４】
本発明の目的は、電源コードの収納に際し従来の巻き取り方式に代えて引っ掛け方式を採用することにより、電源コード先端のプラグの引きずり、損傷防止、引っ掛け操作の簡易化を図れる移動式冷蔵庫を提供することにある。
【０００５】
【課題を解決するための手段】
本発明は、冷蔵庫本体１の外面上に、先端にプラグ４が付いている電源コード３を引っ掛けるためのコードハンガー５が１個または２個以上取り付けられる移動式冷蔵庫であって、コードハンガー５が、冷蔵庫本体１の外面上に固着された取付部７と、取付部７から前方へ突出した左右の支持腕部９・９と、支持腕部９・９の各突出端から上向きに突設した立上り部１０・１０とを有しており、支持腕部９・９間から立上り部１０・１０間にわたって、電源コード径よりも広く、かつプラグ４の電源コード径よりも広幅部分の幅寸法Ｗよりも狭い間隙Ｓ１・Ｓ２を形成したものである。
【０００６】
【作用】
電源コード３の先端を左右の立上り部１０・１０間から支持腕部９・９間に差し込んでプラグ４を左右の支持腕部９・９上に懸垂状態に引っ掛けることで、電源コード３がコードハンガー５から垂れ下がる状態に、またプラグ４が支持腕部９・９から下方へ、立上り部１０・１０から前方へそれぞれ脱落することのない状態に納められる。
また、かかるプラグ４の引っ掛け状態によれば、電源コード３がプラグ４から下方へ真っ直ぐに垂れ下がり、プラグ４と電源コード３との接続部分（コードアーマ部分）に曲げ応力が加えられることがないので、当該箇所での断線を防ぐうえで有利となる。
【０００７】
【発明の実施の形態】
図１および図８において、１は冷蔵庫本体、２は冷蔵庫本体１の底に付けたキャスター、３は冷蔵庫本体１内の冷却装置（図示省略）に接続されて背面側に導出されている電源コード、４は電源コード３の先端に付けたプラグ、５は冷蔵庫本体１の背面１ａの上方に左右に並べてそれぞれビス６で取り付けられ、電源コード３が引っ掛けられるコードハンガーである。
【０００８】
図２ないし図７において、上記コードハンガー５は１本の金属線材を正面視において逆Ｕ字形状に曲げた取付部７を形成し、この取付部７の左右脚７ａ・７ａの両下端部を直角に曲げて前方へ突出する左右の支持腕部９・９を形成し、左右の支持腕部９・９の各突出端部１０ａを一旦左右外側方へ直角に曲げ、更にこの突出端部１０ａの外向き端１０ｂを上方へ円弧状に曲げ起こし、最後にこの外向き端１０ｂの先端１０ｃを下向きに巻き返して左右の環状の立上り部１０・１０を形成してなる。
【０００９】
図２および図３に示すように、取付部７の左右脚７ａ・７ａ間にはビス６のねじ軸が通される間隙ｇが形成される。左右の支持腕部９・９間には、電源コード３を通すことができるとともに、プラグ４を引っ掛けることができるように所定の間隙Ｓ１が形成される。立上り部１０・１０間には所定の間隙Ｓ２が前記間隙Ｓ１と連通状態に形成される。その間隙Ｓ１・Ｓ２は電源コード３の径よりも広く、かつプラグ４の電源コード径よりも広幅部分の幅寸法Ｗ（図８参照）よりも狭く設定する。
【００１０】
しかるときは、プラグ４をコンセントから抜いて電源コード３を冷蔵庫本体１の背面上に収納するには、電源コード３の先端部をコードハンガー５の立上り部１０・１０間の間隙Ｓ２から支持腕部９・９間の間隙Ｓ１に通してプラグ４を支持腕部９・９上に懸垂状態に引っ掛ける。すると、プラグ４が支持腕部９・９間から下方へ、また立上り部１０・１０間から前方へそれぞれ落下することのないよう安定かつ確実に引っ掛けられる。また電源コード３はコードハンガー５から下方へ真っ直ぐに冷蔵庫本体１の背面に沿って垂れ下がる。その際、コードハンガー５の取付高さに比べて電源コード３が長過ぎる場合は、図１に示すごとく電源コード３の中途部をもう一つのコードハンガー５の支持腕部９・９上に通して掛けることで、長尺の電源コード３も引きずることのないように収納することができる。
【００１１】
上記実施例では左右の立上り部１０・１０は環状に形成してあるので、プラグ４との接触面積を広くとることができ、それだけプラグ４の前方への傾倒落下防止効果を高めることができる。また立上り部１０の環状の先端１０ｃは下向きに巻き返してこの先端１０ｃに手や電源コード３を引っかけることのないようにしてあるので、安全に電源コード３を引っ掛け操作することができる。
【００１２】
コードハンガー５は冷蔵庫本体１の背面１ａ以外の外面、たとえば左側面１ｂまたは右側面１ｃに取り付けることもできる。
【００１３】
【発明の効果】
本発明の移動式冷蔵庫によれば、不使用時には、電源コード３のコードアーマ部分に曲げ応力を加えることなく、電源コード３の先端のプラグ４をコードハンガー５に常に確実に引っ掛けることができるので、従来のコードリールへの巻き取り方式にみられるようなプラグの引きずり問題を解消できて電源コード３やプラグ４の損傷防止を長期にわたって維持することができる。またコードハンガー５へのプラグ４の引っ掛け操作も簡単に行えて便利である。
【図面の簡単な説明】
【図１】本発明に係る移動式冷蔵庫の全体背面図である。
【図２】コードハンガーの平面図である。
【図３】コードハンガーの正面図である。
【図４】コードハンガーの背面図である。
【図５】コードハンガーの底面図である。
【図６】コードハンガーの側面図である。
【図７】移動式冷蔵庫の背面に取り付けたコードハンガーの斜視図である。
【図８】移動式冷蔵庫の背面に取り付けたコードハンガーに電源コードを引っ掛けた状態を示す斜視図である。
【符号の説明】
１  冷蔵庫本体
２  キャスター
３  電源コード
４  プラグ
５  コードハンガー
６  ビス
７  取付部
９  支持腕部
１０  立上り部
Ｓ１  支持腕部どうし間の間隙
Ｓ２  立上り部どうし間の間隙
Ｗ  プラグの幅寸法
【図１】
0003755041.tif 000002
【図２】
0003755041.tif 000003
【図３】
0003755041.tif 000004
【図４】
0003755041.tif 000005
【図５】
0003755041.tif 000006
【図６】
0003755041.tif 000007
【図７】
0003755041.tif 000008
【図８】
0003755041.tif 000009